(57)【要約】【課題】各種の操作ボタンの配置を考慮し、利便性を向上する。【解決手段】情報センタ２から通信回線３を介して車載端末１へ情報を提供する情報提供システムにおいて、車載端末１はコンテンツ要求を入力する入力部１１と、コンテンツ要求を送信し情報センタ２から送信されるコンテンツを受信する通信部１２と、コンテンツを表示する表示部１３を備え、情報センタ２は車載端末１からのコンテンツ要求を受信する受信部２１と、コンテンツ要求に基づいてコンテンツを抽出するコンテンツ抽出部２２と、入力手段１１による操作履歴を操作頻度別に記憶するコンテンツ操作履歴データベース２３と、抽出されたコンテンツに対応するコンテンツにおける操作履歴をコンテンツ操作履歴データベース２３から検索し操作頻度の高い順に操作ボタンを並べ替えるコンテンツ生成部２４と、生成されたコンテンツを車載端末１へ送信する送信部２５を備える構成。【選択図】    図１
2005315682.tif 000002
【特許請求の範囲】
【請求項１】
車載端末と情報センタと通信回線とを有し、前記情報センタから前記通信回線を介して前記車載端末へ情報を提供する情報提供システムにおいて、
前記車載端末は、
要求情報を入力する入力手段と、
前記入力手段により入力された要求情報を送信する送信手段と、
前記情報センタから送信される情報を受信する受信手段と、
前記受信手段により受信された情報を表示する表示手段とを備え、
前記情報センタは、
前記車載端末から送信される要求情報を受信する受信手段と、
前記受信手段により受信された要求情報に基づいて情報を抽出する情報抽出手段と、
前記車載端末の前記入力手段による操作履歴を操作頻度別に記憶する操作履歴記憶手段と、
前記情報抽出手段により抽出された情報に対応する情報における操作履歴を前記操作履歴記憶手段から検索するとともに、操作頻度の高い順に操作情報を並べ替えて情報を生成する情報生成手段と、
前記情報生成手段により生成された情報を前記車載端末へ送信する送信手段とを備え、
前記表示手段は、前記情報センタから送信される操作情報を操作頻度の高い順に表示することを特徴とする情報提供システム。
【請求項２】
前記表示手段が操作情報を操作頻度の高い順に表示する際には、操作頻度の最も高い操作情報にカーソルを当てることを特徴とする請求項１記載の情報提供システム。
【請求項３】
前記表示手段が操作情報を操作頻度の高い順に表示する際には、操作頻度の最も高い操作情報を、それ以外の操作情報とは異なる表示形態で表示することを特徴とする請求項１記載の情報提供システム。
【請求項４】
前記情報生成手段によって操作情報を操作頻度の高い順に並べ替えた後に、並べ替えた操作情報の中から特定の操作履歴と他の操作履歴との差を判定する操作履歴判定手段をさらに備え、
前記操作履歴判定手段により所定回数以上差があると判定した場合には、判定された特定の操作に応じた処理を自動的に行うことを特徴とする請求項１記載の情報提供システム。
【請求項５】
前記車載端末から送信される要求情報を受信する受信手段と、
前記受信手段により受信された要求情報に基づいて情報を抽出する情報抽出手段と、
前記車載端末の前記入力手段による操作履歴を操作頻度別に記憶する操作履歴記憶手段と、
前記情報抽出手段により抽出された情報に対応する情報における操作履歴を前記操作履歴記憶手段から検索するとともに、操作頻度の高い順に操作情報を並べ替えて生成する情報生成手段と、
前記情報生成手段により生成された情報を前記車載端末へ送信する送信手段とを備えたことを特徴とする情報センタ。
【請求項６】
要求情報を入力する入力手段と、
前記入力手段により入力された要求情報を情報センタへ送信する送信手段と、
前記情報センタから送信される情報を受信する受信手段と、
前記受信手段により受信された情報に基づいて操作情報を操作頻度の高い順に表示する表示手段を備えたことを特徴とする車載端末。
【請求項７】
要求情報を入力する入力手段と、
前記入力手段により入力された要求情報を情報センタへ送信する送信手段と、
前記情報センタから送信される情報を受信する受信手段と、
前記入力手段による操作履歴を操作頻度別に記憶する操作履歴記憶手段と、
前記操作履歴記憶手段に記憶された操作履歴に基づいて、操作情報を操作頻度の高い順に並べ替えて情報を生成する情報生成手段と、
操作情報を操作頻度の高い順に表示する表示手段とを備えたことを特徴とする車載端末。
【請求項８】
情報センタから通信回線を介して車載端末へ情報を提供する情報提供方法において、
前記車載端末により要求情報を入力する入力工程と、
前記入力工程により入力された要求情報を前記車載端末から前記情報センタへ送信する送信工程と、
前記車載端末から送信される要求情報を前記情報センタにより受信する受信工程と、
前記車載端末の前記入力手段による操作履歴を前記情報センタにより操作頻度別に記憶する操作履歴記憶工程と、
前記情報抽出工程により抽出された情報に対応する情報における操作履歴を前記情報センタにより検索するとともに、操作頻度の高い順に操作情報を並べ替えて情報を生成する情報生成工程と、
前記情報生成工程により生成された情報を前記情報センタから前記車載端末へ送信する送信工程と、
前記車載端末により前記情報センタから送信される情報を受信する受信工程と、
前記情報センタから送信される操作情報を前記車載端末により操作頻度の高い順に表示する表示工程とを有することを特徴とする情報提供方法。
【発明の詳細な説明】
【技術分野】
【０００１】
本発明は、情報センタから通信回線を介して車載端末へ情報を提供する情報提供システム、情報センタ、車載端末および情報提供方法に関する。
【背景技術】
【０００２】
下記特許文献１には、視聴者に番組情報を通信回線を介して提供する電子番組情報送信システムが記載されている。  
この従来技術では、情報センタ（サーバ）は、該情報センタの利用履歴データベースに記憶されたユーザの利用履歴に基づいて、ユーザの視聴傾向を抽出し、抽出された視聴傾向に対応する番組情報をユーザの識別情報に基づいてユーザの通信端末に送信するようになっている。この視聴傾向は、例えば利用履歴のジャンルが所定の回数以上視聴している場合、このジャンルに対応する番組情報をユーザの通信端末に送信する。
【０００３】
【特許文献１】特開２００３−１２５３７７号公報
【発明の開示】
【発明が解決しようとする課題】
【０００４】
上記従来技術では、ユーザの利用履歴に基づいて、視聴傾向に対応する番組情報を提供することにより、ユーザの検索の手間を省くことが可能であったが、ユーザの操作ボタンの操作履歴に基づく操作ボタンの配置等は考慮されておらず、各種の操作ボタンがコンテンツの内容に関係なく配置されていた。  
本発明の目的は、コンテンツの内容に対応して各種の操作ボタンの配置を考慮した利便性の高い情報提供システム、情報センタ、車載端末、および情報提供方法を提供することにある。
【課題を解決するための手段】
【０００５】
上記課題を解決するために、本発明は、情報センタから通信回線を介して車載端末へ情報を提供する情報提供システムにおいて、車載端末は、要求情報を入力する入力手段と、入力された要求情報を送信する送信手段と、情報センタから送信される情報を受信する受信手段と、受信された情報を表示する表示手段とを備え、情報センタは、車載端末から送信される要求情報を受信する受信手段と、受信された要求情報に基づいて情報を抽出する情報抽出手段と、車載端末の入力手段による操作履歴を操作頻度別に記憶する操作履歴記憶手段と、情報抽出手段により抽出された情報に対応する情報における操作履歴を操作履歴記憶手段から検索するとともに、操作頻度の高い順に操作情報を並べ替えて情報を生成する情報生成手段と、生成された情報を車載端末へ送信する送信手段とを備え、表示手段は、情報センタから送信される操作情報を操作頻度の高い順に表示するという構成になっている。
【発明の効果】
【０００６】
本発明によれば、コンテンツの内容に対応して各種の操作ボタンの配置を考慮した利便性の高い情報提供システム、情報センタ、車載端末、および情報提供方法を提供することができる。
【発明を実施するための最良の形態】
【０００７】
以下、図面を用いて本発明の実施の形態について詳細に説明する。なお、以下で説明する図面で、同一機能を有するものは同一符号を付け、その繰り返しの説明は省略する。  
実施の形態１
図１は、本発明の実施の形態１の情報提供システムの全体構成を示す図である。図１において、１は車載端末、２は情報センタ、３は無線の通信回線であり、本実施の形態１の情報提供システムは、情報センタ２から車載端末１へ通信回線３を介して情報を提供する情報提供システムである。４は車載端末１から情報センタ２へ送信される要求情報、すなわち、コンテンツ要求（コンテンツリクエスト）の一例、５はコンテンツ要求に応じて情報センタ２から車載端末１へ送信されるコンテンツ（情報）の一例を示す。
【０００８】
また、１１はコンテンツ要求を入力する入力部、１２は入力部１１により入力されたコンテンツ要求を送信するとともに、情報センタ２から送信されるコンテンツを受信する携帯電話等を利用した通信部、１３は情報センタ２から送信されるコンテンツを表示する表示部である。車載端末１は入力部１１、通信部１２、表示部１３を少なくとも備えている。この他、本実施の形態１では、車載端末１は、ＧＰＳ（Global Positioning System）を利用したナビゲーション装置も備えている（図示省略）。
【０００９】
２１は車載端末１から送信されるコンテンツ要求を受信する受信部、２２はコンテンツ要求に基づいてコンテンツを抽出するコンテンツ抽出部、２２１はコンテンツレコメンデーションエンジン、２２２はコンテンツを記憶するコンテンツデータベース、２２３はユーザの属性を記憶するユーザ属性データベースである。コンテンツ抽出部２２は、コンテンツレコメンデーションエンジン２２１、コンテンツデータベース２２２、ユーザ属性データベース２２３から構成される。２３はコンテンツ要求の操作履歴を操作頻度別に記憶するコンテンツ操作履歴データベース、２４はコンテンツ抽出部２２により抽出されたコンテンツに対応するコンテンツにおける操作履歴をコンテンツ操作履歴データベース２３から検索するとともに、検索された操作履歴の中から操作頻度の高い順に操作ボタン（コンテンツボタン、操作スイッチ）を並べ替えてコンテンツを生成するコンテンツ生成部、２５はコンテンツ生成部２４により生成されたコンテンツを車載端末１へ送信する送信部である。
【００１０】
すなわち、本実施の形態１の情報提供システムにおいては、車載端末１はコンテンツ要求を入力する入力部１１と、入力部１１により入力されたコンテンツ要求を送信するとともに、情報センタ２から送信されるコンテンツを受信する通信部１２と、通信部１２により受信されたコンテンツを表示する表示部１３とを備えている。一方、情報センタ２は、車載端末１から送信されるコンテンツ要求を受信する受信部２１と、受信部２１により受信されたコンテンツ要求に基づいてコンテンツを抽出するコンテンツ抽出部２２と、車載端末１の入力手段１１による操作履歴を操作頻度別に記憶するコンテンツ操作履歴データベース２３と、コンテンツ抽出部２２により抽出されたコンテンツに対応するコンテンツにおける操作履歴をコンテンツ操作履歴データベース２３から検索するとともに、操作頻度の高い順に操作情報である操作ボタンを並べ替えてコンテンツを生成するコンテンツ生成部２４と、コンテンツ生成部２４により生成されたコンテンツを車載端末１へ送信する送信部２５とを備えている。そして、車載端末１の表示部１３は、情報センタ２から送信される操作ボタンを操作頻度の高い順に表示するという構成になっている。
【００１１】
コンテンツ要求４は、コンテンツ要求の内容、コンテンツ要求の内容により指定されたチャンネル番号（本チャンネル番号は例えば２２である）、車両緯度、車両経度の車両位置情報などからなる。図２は、車載端末１から送信されるコンテンツ要求の一例を示す図で、コンテンツ要求の内容、チャンネル番号、自車両の位置情報（緯度、経度）を含む。
【００１２】
情報センタ２では、コンテンツ抽出部２２にて、コンテンツ要求に応じたコンテンツをコンテンツデータベース２２２の中から抽出する。図３は、コンテンツデータベース２２２に保存されたコンテンツチャンネルリストの一例を示す図である。なお、図中のＰＯＩとは、Point of Interestの略であり、位置情報コンテンツのことである。例えば、１ 飲食店、２ 観光、３ イベント情報、４ 天気予報、５ 交通情報、６ 占い、７ 小説である。１ 飲食店には、11 和食、12 洋食、13 ラーメン、14 喫茶店があり、２ 観光は、21 公園、22 歴史・旧跡、23 テーマパーク、24 土産店、25 温泉がある。
【００１３】
図４は、コンテンツ操作履歴データベース２３に保存されたユーザによるコンテンツ操作履歴データの内容を示す図である。例えば「１ 飲食店」の大きな項目の中の「11 和食」、「12 洋食」、「13 ラーメン」、「14 喫茶店」、「２ 観光」の大きな項目の中の「21 公園」、「22 歴史・旧跡」の各ＰＯＩにおいて、操作（操作ボタン）の種類は、「（その内容の）詳細を見る」、「（そこを）目的地にする」、「（そこに）電話する」、「他のデータを取得する」等があり、各操作ごとに利用回数が記憶されている。例えば、「11 和食」のＰＯＩにおいては、複数のユーザによる「詳細を見る」の操作ボタンの利用回数（クリック回数）は１２回、「目的地に設定する」の利用回数は３回、「電話する」の利用回数は９回、「他のデータを取得する」の利用回数は０回である。
【００１４】
コンテンツ生成部２４は、図４に示すコンテンツ操作履歴データベース２３に保存された複数のユーザの操作履歴の内容から複数のユーザがどのような操作を何回しているかの操作履歴を把握し、操作頻度の最も高い操作の操作ボタンを、コンテンツ生成部２４内のボタン表現データカラム（図示省略）の「１」に記述する。このように操作履歴データベース２３に保存された複数のユーザの操作履歴をもとにして、コンテンツ生成部２４の操作ボタン生成機能により、操作頻度の高い順に操作ボタンを並べ替え、ユーザの車載端末１の表示部１３に表示される操作ボタンの配置順を変化させてコンテンツを生成する。こうして本システムでは、ユーザの利便性が向上するようにレコメンデーションしている。操作ボタンの配置順も広い意味でのコンテンツに当たるため、本システムはコンテンツの表現を変換するシステムである。
【００１５】
図５は、コンテンツ生成部２４により生成し、情報センタ２から車載端末１に送信する操作ボタンの表現データを含むコンテンツの内容の一例を示す図である。例えば、チャンネル名称は、「現在地周辺の観光スポット」、２２番のチャンネル番号、タイトルの「○○城」、テキスト、所在地の緯度、経度の位置情報、電話番号、操作ボタン表現である。本コンテンツでは、操作履歴データベース２３に保存された複数のユーザの操作履歴に基づいて、「目的地に設定する」が操作頻度が最も高いので１番上に、次が「電話する」、次が「詳細を見る」、最後に「他のデータを取得する」ための操作ボタンが配置される。
【００１６】
このコンテンツを受け取った車載端末１はコンテンツの内容を解釈し、表示部１３に表示する。表示部１３には、図５のボタン表現の昇順に操作ボタンを記述する。また、このように表示部１３が操作ボタンを操作頻度の高い順に表示する際には、操作頻度の最も高い操作ボタン、ここではボタン表現の「１」に記載された「目的地に設定する」の操作ボタンにカーソルを当てるようになっている。
【００１７】
図６は、表示部１３の表示例を示す図である。図６に示した例では、抽出したコンテンツの「現在地周辺の観光スポット」において、「目的地に設定する」の操作を最も多く利用している操作履歴があるため、「目的地に設定する」という操作ボタンが最上部に表示されている。これにより、複数のユーザの最も操作頻度の高く、操作する確率の高い操作が発見しやすく、次の操作が起こしやすく、従来に比べて使用しない操作ボタンを選択する操作（カーソル移動操作）を避ける動作を省略することができる。したがって、敏速に操作することができ、操作時間を低減でき、ユーザの負荷を低減でき、利便性が向上する。また、「目的地に設定する」の操作ボタンにカーソルを当てられているので、カーソルの移動操作なしで、決定操作だけで敏速に操作することができ、操作回数と操作時間を低減でき、ユーザの負荷を低減できる。
【００１８】
なお、表示部１３が操作ボタンを操作頻度の高い順に表示する際には、操作頻度の最も高い操作ボタンを、それ以外の操作情報とは異なる表示形態で表示するようにしてもよい。異なる表示形態とは例えば色や濃淡であり、操作頻度の最も高い操作を他の操作とは差別化を図るために、赤や青等の色を付けて表示したり、濃淡を変化させる。これにより、操作する確率の高い操作がさらに発見しやすく、敏速に操作することができ、操作時間を低減でき、ユーザの負荷を低減できる。
【００１９】
なお、図６の表示例では、(1)「目的地に設定する」、(2)「電話する」、(3)「詳細を見る」、(4)「他のデータを取得する」の順番であるが、情報センタ２のコンテンツ操作履歴データベース２３に記憶された操作頻度データによっては、(1)「電話する」、(2)「他のデータを取得する」、(3)「詳細を見る」、(4)「目的地に設定する」の順になったり、(1)「他のデータを取得する」、(2))「目的地に設定する」、(3)「詳細を見る」、(4))「電話する」の順になる。
【００２０】
また、コンテンツ生成部２４によって操作ボタンを操作頻度の高い順に並べ替えた後に、並べ替えた操作ボタンの中から特定の操作履歴と他の操作履歴との差を判定する操作履歴判定手段をコンテンツ生成部２４内にさらに備え、この操作履歴判定手段により所定回数以上、例えば３０回、差があると判定した場合には、判定された特定の操作に応じた処理を自動的に行うようにすることが可能である。すなわち、抽出されたコンテンツにおいて、特定の操作の操作履歴内容が突出し、確実に決まる場合、操作ボタンを表示することもなく、決定操作が押され、自動的に情報取得後の特定のアクションが行われる。例えば、図４の「13 ラーメン」のデータのように、「詳細を見る」の操作ボタンの利用回数が０回、「目的地に設定する」の利用回数は３１回、「電話する」の利用回数は１回、「他のデータを取得する」の利用回数は０回となっている場合、「目的地に設定する」を利用するケースは、約９７％であり、ユーザの情報取得後、自動的に目的地の設定をすることになる。これにより、ユーザが情報取得後起こす操作をしなくても、操作ボタンの押下の決定操作の手間をかけることなく、操作を自動的に行うことができ、利便性が向上する。
【００２１】
一般に、多くのコンテンツを情報センタで管理し、通信端末側でコンテンツを取得する情報提供システムにおいて、コンテンツが増えてくると、検索の手間やメニュー階層や選択項目が増加するため、ユーザの嗜好条件や過去の利用履歴を利用したコンテンツレコメンデーションエンジンを使用して適切なコンテンツを抽出し、提供する方法が採られてきている。コンテンツレコメンデーションエンジンとは、このようにユーザの購買履歴やあらかじめ登録し、ユーザ属性データベースに保存された趣味などのユーザ属性から、似たような傾向を示している他のユーザの興味対象を表示するサービスを提供する。このコンテンツレコメンデーションエンジンの従来の適用範囲は、コンテンツを抽出するためのものであった。例えば「平日」、「夕方」、「近距離移動中」という利用条件と、「女性」、「既婚」、「主婦」、「４５歳」というユーザ属性に基づいて、「女性誌」、「お料理レシピ」、「ガーデニング」、「スーパーマーケット情報」、「飲食店情報」などのコンテンツをレコメンド（推薦）するといった使い方がされてきていた。しかし、コンテンツによって、利用履歴やユーザ属性等の情報の使い方が異なるため、コンテンツの提供方法にもレコメンデーションの工夫が必要である。従来の車載端末側で情報を取得する情報提供システムでは、抽出され提供されたコンテンツには、例えば「詳細を見る」、「目的地に設定する」、「電話する」、「他のデータを取得する」ための操作ボタンが、コンテンツの内容に関係なく付与されていて、コンテンツの内容によっては必要のないボタンやユーザによっては利用頻度が低いボタンがついていたり、操作ボタンの配置位置は固定であったた。このように従来は、ユーザの利用履歴やユーザ属性に応じて、膨大な量の中の例えば音楽コンテンツや番組コンテンツを抽出するレコメンデーション機能を使い、検索の手間を低減することが可能であったが、コンテンツレコメンデーションエンジンによって抽出された操作履歴に応じて、適切な機能を提供する仕組みはなかった。このような状況を鑑み、本実施の形態１では、コンテンツレコメンデーションによって、提供されたコンテンツの中で、操作履歴やユーザ属性を考慮し、ユーザが起こすアクションが操作しやすいように操作ボタンが生成、提供される。
【００２２】
実施の形態２
図７は、本発明の実施の形態２の情報提供システムの全体構成を示す図である。  
操作履歴に基づいて操作頻度の高い順に操作ボタンを並べ替えたり、最も操作頻度の高い順に操作ボタンにカーソル当てることは車載端末１側においても行うことができる。上記実施の形態１では、情報センタ２側における複数のユーザの操作履歴に基づいて操作ボタンやカーソルの配置を生成、提供したが、本実施の形態２では、ユーザ個人の操作履歴を車載端末１自体で記憶しておくことにより、ユーザ個人の操作履歴に基づいて操作ボタンやカーソルの配置を生成、提供する。すなわち、本実施の形態２では、車載端末１が、要求情報を入力する入力部１１と、該入力部１１により入力された要求情報を情報センタ２へ送信する送信部および情報センタ２から送信される情報を受信する受信部とからなる通信部１２と、入力部１１による操作履歴を操作頻度別に記憶する操作履歴記憶部１４と、操作履歴記憶部１４に記憶された操作履歴に基づいて、操作ボタンを操作頻度の高い順に並べ替えて情報を生成するコンテンツ生成部１５と、操作情報を操作頻度の高い順に表示する表示部１３とを備えている。一方、情報センタ２は、実施の形態１において設けた車載端末１の入力手段１１による操作履歴を操作頻度別に記憶するコンテンツ操作履歴データベース２３を備えておらず、コンテンツ生成部２４は、コンテンツ抽出部２２により抽出されたコンテンツに対応するコンテンツにおける操作履歴をコンテンツ操作履歴データベース２３から検索し、操作頻度の高い順に操作情報である操作ボタンを並べ替えてコンテンツを生成する機能は有しない。
【００２３】
本実施の形態では上記のような構成により、ユーザ個人の操作履歴に基づいて操作ボタンやカーソルの配置を生成、提供することができ、利便性がより向上する。
【００２４】
実施の形態３
図８は、本発明の実施の形態３の情報提供システムの全体構成を示す図である。  
本実施の形態３では、操作履歴に基づいて操作頻度の高い順に操作ボタンを並べ替えたり、最も操作頻度の高い順に操作ボタンにカーソル当てることを情報センタ２側と車載端末１側の双方においても行う。
【００２５】
すなわち、本実施の形態３の情報提供システムは、車載端末１と情報センタ２と通信回線３とを有し、情報センタ２から通信回線３を介して車載端末１へ情報を提供する情報提供システムにおいて、車載端末１は、上記実施の形態２と同様に、要求情報を入力する入力部１１と、該入力部１１により入力された要求情報を情報センタ２へ送信する送信部および情報センタ２から送信される情報を受信する受信部とからなる通信部１２と、入力部１１による操作履歴を操作頻度別に記憶する操作履歴記憶部１４と、操作履歴記憶部１４に記憶された操作履歴に基づいて、操作ボタンを操作頻度の高い順に並べ替えて情報を生成するコンテンツ生成部１５と、操作情報を操作頻度の高い順に表示する表示部１３とを備えている。また、情報センタ２は、上記実施の形態１と同様に、車載端末１から送信されるコンテンツ要求を受信する受信部２１と、受信部２１により受信されたコンテンツ要求に基づいてコンテンツを抽出するコンテンツ抽出部２２と、車載端末１の入力手段１１による操作履歴を操作頻度別に記憶するコンテンツ操作履歴データベース２３と、コンテンツ抽出部２２により抽出されたコンテンツに対応するコンテンツにおける操作履歴をコンテンツ操作履歴データベース２３から検索するとともに、操作頻度の高い順に操作情報である操作ボタンを並べ替えてコンテンツを生成するコンテンツ生成部２４と、コンテンツ生成部２４により生成されたコンテンツを車載端末１へ送信する送信部２５とを備えている。そして、車載端末１の表示部１３は、情報センタ２から送信される操作ボタンを操作頻度の高い順に表示するという構成になっている。
【００２６】
本実施の形態３では、情報センタ２から複数の利用者による操作履歴に基づいて操作頻度の高い順に操作ボタンを並べ替えて、車載端末１側では最も操作頻度の高い操作ボタンにカーソルを当てることになる。しかし、例えば、図４の「13 ラーメン」のような場合には、情報センタ２により選択された操作履歴よりも個人の趣味によるところが強い場合もあるので、このようなある特定の情報については、上記実施形態２のように車載端末１自体で個人の操作履歴を元に生成した操作ボタンの配置およびカーソル位置を、情報センタ２から送信される履歴情報よりも、強制的に優先させることができる。優先させる場合の特定の情報とは、個人の趣味が強い例えば「１ 飲食店」などの場合が考えられる。
【００２７】
本実施の形態３では上記のような構成により、情報センタ２による複数のユーザと、車載端末１によるユーザ個人の操作履歴の両方に基づいて操作ボタンやカーソルの配置を生成、提供することができ、利便性がさらに向上する。
【００２８】
なお、以上説明した実施の形態は、本発明の理解を容易にするために記載されたものであって、本発明を限定するために記載されたものではない。したがって、上記実施の形態に開示された各要素は、本発明の技術的範囲に属する全ての設計変更や均等物をも含む趣旨である。例えば、実施の形態１では、情報センタ２側において複数のユーザの操作履歴に基づいて操作ボタンの配列を生成したが、ユーザ識別番号等を利用して個人の操作履歴に基づいて操作ボタンの配列を生成することも可能である。
【００２９】
また、実施の形態におけるコンテンツ要求が、特許請求の範囲における要求情報に、コンテンツが情報に、操作ボタンが操作情報に、図１の入力部１１が入力手段に、通信部１２が、車載端末１のコンテンツ要求を送信する送信手段および情報センタ２から送信されるコンテンツを受信する受信手段に、表示部１３が表示手段に、受信部２１が車載端末１から送信されるコンテンツ要求を受信する情報センタ２の受信手段に、コンテンツ抽出部２２が情報抽出手段に、コンテンツ操作履歴データベース２３が操作履歴記憶手段に、コンテンツ生成部２４が情報生成手段に、送信部２５がコンテンツ生成部２４により生成されたコンテンツを車載端末１へ送信する情報センタ２の送信手段に相当する。
【図面の簡単な説明】
【００３０】
【図１】本発明の実施の形態１の情報提供システムの全体構成を示す図である。
【図２】本発明の実施の形態１のコンテンツ要求の一例を示す図である。
【図３】本発明の実施の形態１のコンテンツデータベースに保存されたコンテンツチャンネルリストの一例を示す図である。
【図４】本発明の実施の形態１のコンテンツ操作履歴データベースに保存されたユーザによるコンテンツ操作履歴データの内容を示す図である。
【図５】本発明の実施の形態１の操作ボタンの表現データを含むコンテンツの内容の一例を示す図である。
【図６】本発明の実施の形態１の表示部の表示例を示す図である。
【図７】本発明の実施の形態２の情報提供システムの全体構成を示す図である。
【図８】本発明の実施の形態３の情報提供システムの全体構成を示す図である。
【符号の説明】
【００３１】
１…車載端末                              ２…情報センタ
３…通信回線                              ４…コンテンツ要求
５…コンテンツ                          １１…入力部
１２…通信部                              １３…表示部
２１…受信部                              ２２…コンテンツ抽出部
２３…コンテンツ操作履歴データベース      ２４…コンテンツ生成部
２５…送信部
２２１…コンテンツレコメンデーションエンジン
２２２…コンテンツデータベース        ２２３…ユーザ属性データベース
【図１】
2005315682.tif 000003
【図２】
2005315682.tif 000004
【図３】
2005315682.tif 000005
【図４】
2005315682.tif 000006
【図５】
2005315682.tif 000007
【図６】
2005315682.tif 000008
【図７】
2005315682.tif 000009
【図８】
2005315682.tif 000010